(57)【要約】  本発明の実施形態は、電子デバイスをロック解除する方法およびそのための装置を開示するものであり、方法は、電子デバイスが機能ロック状態であるとき、電子デバイスの操作領域における少なくとも1つの操作によって生成されたロック解除のトリガ情報を取得するステップであって、ロック解除のトリガ情報が少なくとも1つの操作の各操作の期間情報を含んでいるステップと、ロック解除のトリガ情報が事前設定のロック解除情報と一致したとき電子デバイスの機能ロックをロック解除するステップとを含む。ユーザが電子デバイスの機能ロックをロック解除するときの秘匿性が改善され得、その結果、電子デバイスのデータのセキュリティが改善され得る。
2015533250.tif 000002
【特許請求の範囲】
【請求項１】
電子デバイスが機能ロック状態であるとき、前記電子デバイスの操作領域における少なくとも1つの操作によって生成されたロック解除のトリガ情報を取得するステップであって、前記ロック解除のトリガ情報が、前記少なくとも1つの操作の各操作の期間情報を含むステップと、
前記ロック解除のトリガ情報が事前設定のロック解除情報と一致したとき、前記電子デバイスの前記機能ロックをロック解除するステップとを含む、電子デバイスをロック解除する方法。
【請求項２】
前記少なくとも1つの操作の各操作の前記期間情報に従って、前記取得されたロック解除のトリガ情報に対して符号化処理を遂行するステップをさらに含み、
前記ロック解除のトリガ情報が事前設定のロック解除情報と一致したとき前記電子デバイスの前記機能ロックをロック解除する前記ステップが、前記符号化処理を遂行された前記ロック解除のトリガ情報が前記事前設定のロック解除情報と一致したとき、前記電子デバイスの前記機能ロックをロック解除するステップを含む請求項1に記載の方法。
【請求項３】
前記少なくとも1つの操作の各操作の前記期間情報に従って、前記取得されたロック解除のトリガ情報に対して符号化処理を遂行する前記ステップが、
前記少なくとも1つの操作の各操作の前記期間情報に対応する期間レベルを取得するステップと、前記少なくとも1つの操作の各操作の期間に対応する期間レベルに従って前記ロック解除のトリガ情報に対して前記符号化処理を遂行するステップであって、各操作の前記期間情報に対応する前記期間レベルが、各操作の前記期間情報を包含する期間範囲の情報であるステップとを含む請求項2に記載の方法。
【請求項４】
前記ロック解除のトリガ情報が、前記少なくとも1つの操作の各操作によって前記電子デバイスの前記操作領域上にもたらされた圧力の情報をさらに含む請求項1に記載の方法。
【請求項５】
前記少なくとも1つの操作の各操作の前記期間情報および前記圧力情報に従って、前記取得されたロック解除のトリガ情報に対して符号化処理を遂行するステップをさらに含み、
前記ロック解除のトリガ情報が事前設定のロック解除情報と一致したとき前記電子デバイスの前記機能ロックをロック解除する前記ステップが、前記符号化処理を遂行された前記ロック解除のトリガ情報が前記事前設定のロック解除情報と一致したとき、前記電子デバイスの前記機能ロックをロック解除するステップを含む請求項4に記載の方法。
【請求項６】
前記少なくとも1つの操作の各操作の前記期間情報および前記圧力情報に従って、前記取得されたロック解除のトリガ情報に対して符号化処理を遂行する前記ステップが、
前記少なくとも1つの操作の同一操作の期間情報および圧力情報に対応するトリガレベルを取得するステップと、前記少なくとも1つの操作の前記同一操作の前記期間情報および前記圧力情報に対応する前記トリガレベルに従って前記ロック解除のトリガ情報に対して前記符号化処理を遂行するステップであって、前記同一操作の前記期間情報および前記圧力情報に対応する前記トリガレベルが、各操作の前記期間情報および前記圧力情報を包含する期間および圧力の組合せが収まる値の範囲の情報であるステップとを含む請求項5に記載の方法。
【請求項７】
前記電子デバイスの操作領域における少なくとも1つの操作によって生成されたロック解除のトリガ情報を取得する前記ステップの後に、
前記取得されたロック解除のトリガ情報を表示するステップをさらに含む請求項1から6のいずれか一項に記載の方法。
【請求項８】
前記電子デバイスの前記操作領域が、前記電子デバイスのタッチスクリーンおよび/または前記電子デバイスの物理的ボタンを備える請求項1から7のいずれか一項に記載の方法。
【請求項９】
電子デバイスが機能ロック状態であるとき、前記電子デバイスの操作領域における少なくとも1つの操作によって生成されたロック解除のトリガ情報であって、前記少なくとも1つの操作の各操作の期間情報を含む前記ロック解除のトリガ情報を取得するように構成された情報取得モジュールと、
前記ロック解除のトリガ情報が事前設定のロック解除情報と一致したとき、前記電子デバイスの前記機能ロックをロック解除するように構成されたロック解除モジュールとを備える、電子デバイスをロック解除するための装置。
【請求項１０】
前記少なくとも1つの操作の各操作の前記期間情報に従って、前記取得されたロック解除のトリガ情報に対して符号化処理を遂行するように構成された第1の符号化モジュールをさらに備え、
前記ロック解除モジュールが、前記第1の符号化モジュールによって前記符号化処理を遂行された前記ロック解除のトリガ情報が前記事前設定のロック解除情報と一致したとき、前記電子デバイスの前記機能ロックをロック解除するように特に構成されている請求項9に記載の装置。
【請求項１１】
前記第1の符号化モジュールが、前記少なくとも1つの操作の各操作の前記期間情報に対応する期間レベルを取得して、前記少なくとも1つの操作の各操作の期間に対応する期間レベルに従って前記ロック解除のトリガ情報に対して前記符号化処理を遂行するように特に構成されており、各操作の前記期間情報に対応する前記期間レベルが、各操作の前記期間情報を包含する期間範囲の情報である請求項10に記載の装置。
【請求項１２】
前記ロック解除のトリガ情報が、前記少なくとも1つの操作の各操作によって前記電子デバイスの前記操作領域上にもたらされた圧力の情報をさらに含む請求項9に記載の装置。
【請求項１３】
前記少なくとも1つの操作の各操作の前記期間情報および前記圧力情報に従って、前記取得されたロック解除のトリガ情報に対して符号化処理を遂行するように構成された第2の符号化モジュールをさらに備え、
前記ロック解除モジュールが、前記第2の符号化モジュールによって前記符号化処理を遂行された前記ロック解除のトリガ情報が前記事前設定のロック解除情報と一致したとき、前記電子デバイスの前記機能ロックをロック解除するように特に構成されている請求項12に記載の装置。
【請求項１４】
前記第2の符号化モジュールが、前記少なくとも1つの操作の同一の操作の期間情報および圧力情報に対応するトリガレベルを取得して、前記少なくとも1つの操作の前記同一操作の前記期間情報および前記圧力情報に対応する前記トリガレベルに従って、前記ロック解除のトリガ情報に対して前記符号化処理を遂行するように特に構成されており、前記同一操作の前記期間情報および前記圧力情報に対応する前記トリガレベルが、各操作の前記期間情報および前記圧力情報を包含する期間および圧力の組合せが収まる値の範囲の情報である請求項13に記載の装置。
【請求項１５】
前記取得されたロック解除のトリガ情報を表示するように構成された表示モジュールをさらに備える請求項9から14のいずれか一項に記載の装置。
【請求項１６】
前記電子デバイスの前記操作領域が、前記電子デバイスのタッチスクリーンおよび/または前記電子デバイスの物理的ボタンを備える請求項9から15のいずれか一項に記載の装置。
【発明の詳細な説明】
【技術分野】
【０００１】
本発明は、電子技術の分野に関し、具体的には電子デバイスをロック解除する方法およびそのための装置に関する。
【０００２】
[関連出願の相互参照]
本出願は、参照によってその全体が本明細書に組み込まれている、2013年9月22日に出願した「METHOD FOR UNLOCKING ELECTRONIC DEVICE, AND APPARATUS THEREFOR」という名称の中国特許出願第201310432756.9号の優先権を主張するものである。
【背景技術】
【０００３】
電子技術の継続的な進歩および円熟に伴って、携帯電話、タブレットコンピュータなどの電子デバイスは、既に人々の生活の不可欠なものになっている。人々は、これらの電子デバイスを用いることにより、互いに通信するばかりでなく、ファイルの転送、写真撮影、ゲームなども行なう。
【０００４】
技術の進歩に伴って、電子デバイスがユーザの個人情報および重要データを記憶するので、電子デバイスのセキュリティ性能も注目されている。従来技術では、電子デバイスの情報のセキュリティ性能を強化するために、スクリーンロッキングまたはアプリケーション暗号化などの制限技術が用いられている。たとえば、9つのグリッド上のパターンを用いてロック解除するスライドに関しては、電子デバイスの事前設定領域にユーザが描いた運動軌跡が照合され、ユーザが描いた運動軌跡が電子デバイスに記憶された事前設定の運動軌跡と一致すると、電子デバイスのスクリーンがロック解除されて、ユーザは電子デバイスを正常に使用することができる。
【０００５】
ユーザがロック解除するためにスライドするかまたはパスワードを入力するとき、描かれたパターン、スライドジェスチャーまたは入力された文字が別人によって容易に識別されるので、電子デバイスのデータのより優れたセキュリティ性能を保証することができず、それによってユーザエクスペリエンスが低下する。
【発明の概要】
【発明が解決しようとする課題】
【０００６】
本発明の実施形態は、ユーザが電子デバイスの機能ロック(function locked)を解除するときの秘匿性が改善され得、その結果、電子デバイスのデータのセキュリティが改善される、電子デバイスをロック解除する方法およびそのための装置を提供するものである。
【課題を解決するための手段】
【０００７】
前述の技術的問題を解決するために、第1の態様によれば、本発明の一実施形態は電子デバイスをロック解除する方法を提供するものであり、この方法は、電子デバイスが機能ロック状態であるとき、電子デバイスの操作領域における少なくとも1つの操作によって生成されたロック解除のトリガ情報を取得するステップであって、ロック解除のトリガ情報が少なくとも1つの操作の各操作の期間情報を含んでいるステップと、ロック解除のトリガ情報が事前設定のロック解除情報と一致したとき、電子デバイスの機能ロックをロック解除するステップとを含み得る。
【０００８】
第1の態様によれば、第1の態様の第1の実現可能な実装方式では、取得されたロック解除のトリガ情報に対して少なくとも1つの操作の各操作の期間情報に従って符号化処理が遂行され、ロック解除のトリガ情報が事前設定のロック解除情報と一致したとき電子デバイスの機能ロックをロック解除するステップが、符号化処理を遂行されたロック解除のトリガ情報が事前設定のロック解除情報と一致したとき、電子デバイスの機能ロックをロック解除するステップを含む。
【０００９】
第1の態様の第1の実現可能な実装方式によれば、第1の態様の第2の実現可能な実装方式では、取得されたロック解除のトリガ情報に対して少なくとも1つの操作の各操作の期間情報に従って符号化処理を遂行するステップが、少なくとも1つの操作の各操作の期間情報に対応する期間レベルを取得するステップと、少なくとも1つの操作の各操作における期間に対応する期間レベルに従ってロック解除のトリガ情報に対して符号化処理を遂行するステップであって、各操作の期間情報に対応する期間レベルが、各操作の期間情報を包含する期間範囲の情報であるステップとを含む。
【００１０】
第1の態様によれば、第1の態様の第3の実現可能な実装方式では、ロック解除のトリガ情報は、少なくとも1つの操作の各操作によって電子デバイスの操作領域上にもたらされた圧力の情報をさらに含む。
【００１１】
第1の態様の第3の実現可能な実装方式によれば、第1の態様の第4の実現可能な実装方式では、方法は、少なくとも1つの操作の各操作の期間情報および圧力情報に従って、取得されたロック解除のトリガ情報に対して符号化処理を遂行するステップをさらに含み、ロック解除のトリガ情報が事前設定のロック解除情報と一致したとき電子デバイスの機能ロックをロック解除するステップが、符号化処理を遂行されたロック解除のトリガ情報が事前設定のロック解除情報と一致したとき、電子デバイスの機能ロックをロック解除するステップを含む。
【００１２】
第1の態様の第4の実現可能な実装方式によれば、第1の態様の第5の実現可能な実装方式では、少なくとも1つの操作の各操作の期間情報および圧力情報に従って、取得されたロック解除のトリガ情報に対して符号化処理を遂行するステップが、少なくとも1つの操作の同一操作の期間情報および圧力情報に対応するトリガレベルを取得するステップと、少なくとも1つの操作の同一操作の期間情報および圧力情報に対応するトリガレベルに従ってロック解除のトリガ情報に対して符号化処理を遂行するステップであって、同一操作の期間情報および圧力情報に対応するトリガレベルが、各操作の期間情報および圧力情報を包含する期間および圧力の組合せが収まる値の範囲の情報であるステップとを含む。
【００１３】
第1の態様または第1の態様の第1、第2、第3、第4、もしくは第5の実現可能な実装方式によれば、第1の態様の第6の実現可能な実装方式では、方法は、電子デバイスの操作領域における少なくとも1つの操作によって生成されたロック解除のトリガ情報を取得するステップの後に、取得されたロック解除のトリガ情報を表示するステップをさらに含む。
【００１４】
第1の態様または第1の態様の第1、第2、第3、第4、第5、もしくは第6の実現可能な実装方式によれば、第1の態様の第7の実現可能な実装方式では、電子デバイスの操作領域は、電子デバイスのタッチスクリーンおよび/または電子デバイスの物理的ボタンを含む。
【００１５】
第2の態様によれば、本発明の一実施形態は電子デバイスをロック解除するための装置を提供するものであり、この装置は、電子デバイスが機能ロック状態であるとき、電子デバイスの操作領域における少なくとも1つの操作によって生成されたロック解除のトリガ情報を監視するように構成された情報監視モジュールであって、ロック解除のトリガ情報によって搬送される時間情報が、少なくとも1つの操作の各操作における期間によって形成された時間シーケンスを含んでいる情報監視モジュールと、監視されるロック解除のトリガ情報に対して符号化処理を遂行して感知信号を生成するように構成された符号生成モジュールと、感知信号が事前設定のロック解除信号と一致したとき、電子デバイスの機能ロックをロック解除するように構成されたロック解除モジュールとを含み得る。
【００１６】
第2の態様によれば、第2の態様の第1の実現可能な実装方式では、装置には、少なくとも1つの操作の各操作の期間情報に従って、取得されたロック解除のトリガ情報に対して符号化処理を遂行するように構成された第1の符号化モジュールがさらに含まれ、ロック解除モジュールは、第1の符号化モジュールによって符号化処理を遂行されたロック解除のトリガ情報が事前設定のロック解除情報と一致したとき、電子デバイスの機能ロックをロック解除するように特に構成されている。
【００１７】
第2の態様の第1の実現可能な実装方式によれば、第2の態様の第2の実現可能な実装方式では、第1の符号化モジュールは、少なくとも1つの操作の各操作の期間情報に対応する期間レベルを取得して、少なくとも1つの操作の各操作における期間に対応する期間レベルに従ってロック解除のトリガ情報に対して符号化処理を遂行するように特に構成されており、各操作の期間情報に対応する期間レベルは、各操作の期間情報を包含する期間範囲の情報である。
【００１８】
第2の態様によれば、第2の態様の第3の実現可能な実装方式では、ロック解除のトリガ情報は、電子デバイスの操作領域上への少なくとも1つの操作の各操作によってもたらされた圧力の情報をさらに含む。
【００１９】
第2の態様の第3の実現可能な実装方式によれば、第2の態様の第4の実現可能な実装方式では、装置には、少なくとも1つの操作の各操作の期間情報および圧力情報に従って、取得されたロック解除のトリガ情報に対して符号化処理を遂行するように構成された第2の符号化モジュールがさらに含まれ、ロック解除モジュールは、第2の符号化モジュールによって符号化処理を遂行されたロック解除のトリガ情報が事前設定のロック解除情報と一致したとき、電子デバイスの機能ロックをロック解除するように特に構成されている。
【００２０】
第2の態様の第4の実現可能な実装方式によれば、第2の態様の第5の実現可能な実装方式では、第2の符号化モジュールは、少なくとも1つの操作の同一操作の期間情報および圧力情報に対応するトリガレベルを取得して、少なくとも1つの操作の同一操作の期間情報および圧力情報に対応するトリガレベルに従って、ロック解除のトリガ情報に対して符号化処理を遂行するように特に構成されており、同一操作の期間情報および圧力情報に対応するトリガレベルは、各操作の期間情報および圧力情報を包含する期間および圧力の組合せが収まる値の範囲の情報である。
【００２１】
第2の態様または第2の態様の第1、第2、第3、第4、もしくは第5の実現可能な実装方式によれば、第2の態様の第6の実現可能な実装方式では、この装置は、取得されたロック解除のトリガ情報を表示するように構成された表示モジュールをさらに含む。
【００２２】
第2の態様または第2の態様の第1、第2、第3、第4、第5、もしくは第6の実現可能な実装方式によれば、第2の態様の第7の実現可能な実装方式では、電子デバイスの操作領域は、電子デバイスのタッチスクリーンおよび/または電子デバイスの物理的ボタンを含む。
【００２３】
上記のことから、電子デバイスが機能ロック状態であるとき、取得されたロック解除のトリガ情報の各操作の期間情報に従ってロック解除のトリガ情報が照合されてよく、ロック解除のトリガ情報が事前設定のロック解除情報と一致したとき、電子デバイスの機能ロックがロック解除されることが理解され得る。それに加えて、操作の期間情報は、秘匿される傾向があり、スライドジェスチャーまたは直接的な文字入力と比較してより感知しづらいので、操作の期間情報をロック解除条件として用いることにより、ユーザが電子デバイスの機能ロックをロック解除するときの秘匿性を改善することができ、その結果、電子デバイスのデータのセキュリティが改善され、それによってユーザエクスペリエンスが改善される。
【００２４】
本発明の実施形態または従来技術の技術的解決策をより明瞭に説明するために、以下で、実施形態または従来技術を説明するのに必要な添付図面を簡単に紹介するものである。以下の説明における添付図面は、本発明のいくつかの実施形態を示すのみであるが、当業者であれば、創造的な努力をしなくてもこれらの添付図面からさらに他の図面を導出し得ると思われる。
【図面の簡単な説明】
【００２５】
【図１】本発明の一実施形態による、電子デバイスをロック解除する方法の概略流れ図である。
【図２】本発明の一実施形態による、電子デバイスをロック解除するための別の方法の概略流れ図である。
【図３】本発明の一実施形態による、電子デバイスをロック解除するためのさらに別の方法の概略流れ図である。
【図４】本発明の一実施形態による、電子デバイスをロック解除するための装置の概略構造図である。
【図５】本発明の一実施形態による、電子デバイスをロック解除するための別の装置の概略構造図である。
【図６】本発明の一実施形態による、電子デバイスをロック解除するためのさらに別の装置の概略構造図である。
【図７】本発明の一実施形態により、コンピュータシステムに基づいて、電子デバイスをロック解除するための装置の概略構造図である。
【発明を実施するための形態】
【００２６】
以下は、本発明の実施形態の技術的解決策を、本発明の実施形態の添付図面を参照しながら、明確に、かつ十分に説明するものである。説明される実施形態は、本発明の実施形態のすべてではなく一部分にすぎないように思われる。創造的な努力をすることなく、本発明の実施形態に基づいて当業者によって達成される他のすべての実施形態も、本発明の保護範囲内にあるものとする。
【００２７】
本発明のこの実施形態では、電子デバイスが機能ロック状態であるとき、電子デバイスの操作領域における少なくとも1つの操作によって生成されたロック解除のトリガ情報が取得され、ロック解除のトリガ情報が事前設定のロック解除情報と一致したとき、電子デバイスの機能ロックがロック解除される。
【００２８】
電子デバイスは、たとえば携帯電話、コンピュータ、タブレットコンピュータ、パスワード保証装置(password insurance apparatus)などのタッチスクリーンおよび/または物理的ボタンを有する電子デバイスでよく、パスワード保証装置は、パスワード保証ボックスに配設されてパスワード保証ボックスのスイッチを制御するのに使用される装置であり、電子デバイスをロック解除するための装置は、独立したデバイスであっても電子デバイスと統合されていてもよく、電子デバイスの機能ロックをロック解除するように構成されている。
【００２９】
本発明の実施形態によって提供される、電子デバイスをロック解除する方法は、たとえば携帯電話のスクリーンがロック解除される状況、コンピュータインターフェースがロック解除される状況など、電子デバイスのスクリーンがロック解除される状況に適用してよく、また、たとえばアカウントを用いてアプリケーションソフトウェアにログインする状況といった、アプリケーションソフトウェアの制限が解除される状況にも適用してもよい。電子デバイスをロック解除する方法は、たとえば、携帯電話の中の、情報、連絡先などを閲覧するのに携帯電話をロック解除する必要があるとき、またはパスワード保証ボックスから個人記録を取得するのにパスワード保証ボックスのスイッチをオフにする必要があるときの状況といった、私的データまたは個人記録が閲覧されるかまたは取得されるときロック解除が遂行される状況に適用してもよい。
【００３０】
本発明の一実施形態によって提供される、電子デバイスをロック解除する方法が、図1から図3を参照しながら以下で詳細に説明される。図1から図3に示される実施形態による方法は、電子デバイスをロック解除するための装置に適用され得ることに留意されたい。
【００３１】
図1を参照して、これは、本発明の一実施形態によって電子デバイスをロック解除する方法の概略流れ図である。図1に示されるように、この方法は、以下のステップS101からS102を含み得る。
【００３２】
S101。電子デバイスが機能ロック状態であるとき、電子デバイスの操作領域における少なくとも1つの操作によって生成されたロック解除のトリガ情報を取得するステップであって、ロック解除のトリガ情報が少なくとも1つの操作の各操作の期間情報(duration information)を含んでいるステップ。
【００３３】
具体的には、電子デバイスの機能ロック状態には、電子デバイスがスクリーンロック状態であること、または電子デバイスのアプリケーションが確認されるべき状態であることなどが含まれ、電子デバイスをロック解除するための装置は、ユーザが電子デバイスの操作領域で遂行した少なくとも1つの操作によって生成されたロック解除のトリガ情報を取得し、ロック解除のトリガ情報は、少なくとも1つの操作の各操作の期間情報を含む。ロック解除のトリガ情報は、操作の期間情報に加えて、たとえばダブルクリック、クリック、操作の強度、スライド操作のスライド長さなど、操作の他の特徴の情報をさらに含んでよい。
【００３４】
好ましくは、電子デバイスのセキュリティをより効率よく保証するために、取得されるロック解除のトリガ情報は、2つ以上の操作の各操作の期間情報を含む。
【００３５】
電子デバイスの操作領域は、電子デバイスのタッチスクリーンおよび/または電子デバイスの物理的ボタンを含んでよく、ユーザが遂行する操作は、タッチスクリーンのタッチ操作および/または物理的ボタンのクリック操作であり得ることに留意されたい。
【００３６】
S102。ロック解除のトリガ情報が事前設定のロック解除情報と一致したとき、電子デバイスの機能ロックをロック解除するステップ。
【００３７】
具体的には、電子デバイスをロック解除するための装置は、少なくとも1つの操作の各操作の期間情報を事前設定のロック解除情報と照合してよく、少なくとも1つの操作の各操作の期間情報が事前設定のロック解除情報と一致したとき、電子デバイスをロック解除するための装置は、電子デバイスの機能ロックをロック解除する。
【００３８】
たとえば、事前設定のロック解除情報が、第1の操作(たとえばクリック操作)が5秒間持続し、第2の操作が3秒間持続するというものであり、同じことがロック解除のトリガ情報にも当てはまる場合、電子デバイスの機能ロックはロック解除される。
【００３９】
ユーザは、電子デバイスを使用し始めるとき、または電子デバイスを使用するプロセスにおいて、ロック解除信号をセット/リセットしてよく、事前設定のロック解除情報は、電子デバイスをロック解除するための装置に、電子デバイスの機能ロックをロック解除するための一致情報(information matching)を供給するのに用いられることに留意されたい。電子デバイスが設定状態になるとき、電子デバイスをロック解除するための装置は、事前設定のロック解除情報を生成するために、電子デバイスの操作領域においてユーザが遂行した少なくとも1つの操作の期間情報を取得してよい。好ましくは、ユーザが操作するとき、ユーザによって遂行される少なくとも1つの操作の各操作の期間情報の入力を促すために、電子デバイスのスクリーンに目盛が表示されてよい。
【００４０】
もちろん、事前設定のロック解除信号を生成する前述の方式は単なる例示であり、事前設定のロック解除信号は、製造業者またはオペレータによって電子デバイスの中に前もって構成されていてもよい。
【００４１】
本発明の実施形態において、電子デバイスが設定状態であるとき、ユーザが用いる操作方式がタッチスクリーンのタッチ操作であると、それに応じて、電子デバイスが機能ロック状態であるとき、ユーザはタッチスクリーンに対してタッチ操作の方式でロック解除操作を遂行する必要があり、操作可能領域はタッチスクリーンの任意の位置であり、すなわち、ユーザはタッチスクリーンの任意の位置でタッチ操作を遂行し、電子デバイスをロック解除するための装置はロック解除のトリガ情報を取得し得る。同様に、電子デバイスが設定状態であるとき、ユーザが用いる操作方式が物理的ボタンのクリック操作であると、それに応じて、電子デバイスが機能ロック状態であるとき、ユーザは物理的ボタンに対してクリック操作の方式でロック解除操作を遂行する必要があり、操作可能領域は物理的ボタンの任意のボタンであり、すなわち、ユーザは物理的ボタンの任意のボタンに対してクリック操作を遂行し、電子デバイスをロック解除するための装置はロック解除のトリガ情報を取得し得る。ユーザが電子デバイスの機能ロックをロック解除するとき、位置またはボタンが操作領域において限定されないので、ユーザが遂行する操作の秘匿性が、より優れて改善され得る。
【００４２】
もちろん、本発明のこの実施形態では、混合操作方式も用いられ得る。すなわち、電子デバイスが設定状態であるとき、ユーザは、タッチスクリーン上のタッチ操作および物理的ボタン上のクリック操作を含んでいる混合操作を用いてよく、それに応じて、電子デバイスが機能ロック状態であるとき、ユーザは、タッチスクリーン上のタッチ操作および物理的ボタン上のクリック操作を含んでいる混合操作を用いてロック解除操作を遂行してもよく、操作可能領域は、タッチスクリーンの任意の位置および物理的ボタンの任意のボタンであり、すなわち、ユーザはタッチスクリーンの任意の位置におけるタッチ操作および物理的ボタンの任意のボタンに対するクリック操作を遂行し、電子デバイスをロック解除するための装置はロック解除のトリガ情報を取得し得る。
【００４３】
本発明のこの実施形態では、電子デバイスが機能ロック状態であるとき、取得されたロック解除のトリガ情報の各操作の期間情報に従ってロック解除のトリガ情報が照合されてよく、ロック解除のトリガ情報が事前設定のロック解除情報と一致したとき、電子デバイスの機能ロックがロック解除される。それに加えて、操作の期間情報および圧力情報は、秘匿される傾向があり、スライドジェスチャーまたは直接的な文字入力と比較してより感知しづらいので、本発明のこの実施形態では、ロック解除条件として、操作の期間情報、または操作の期間情報および圧力情報を用いることにより、ユーザが電子デバイスの機能ロックをロック解除するときの秘匿性を改善することができ、その結果、電子デバイスのデータのセキュリティが改善され、それによってユーザエクスペリエンスが改善される。
【００４４】
図2を参照して、これは、本発明の一実施形態によって電子デバイスをロック解除する別の方法の概略流れ図である。本発明の実施形態は、図1に示された実施形態の特定の実装方式である。図2に示されるように、本発明のこの実施形態による方法は、以下のステップS201からS204を含む。
【００４５】
S201。電子デバイスが機能ロック状態であるとき、電子デバイスの操作領域における少なくとも1つの操作によって生成されたロック解除のトリガ情報を取得するステップであって、ロック解除のトリガ情報が、少なくとも1つの操作の各操作の期間情報を含んでいるステップ。
【００４６】
具体的には、電子デバイスの機能ロック状態には、電子デバイスがスクリーンロック状態であること、または電子デバイスのアプリケーションが確認されるべき状態であることなどが含まれ、電子デバイスをロック解除するための装置は、ユーザが電子デバイスの操作領域で遂行した少なくとも1つの操作によって生成されたロック解除のトリガ情報を取得し、ロック解除のトリガ情報は、少なくとも1つの操作の各操作の期間情報を含む。ロック解除のトリガ情報は、操作の期間情報に加えて、たとえばダブルクリック、クリック、操作の強度、スライド操作のスライド長さなど、操作の他の特徴の情報をさらに含んでよい。
【００４７】
好ましくは、電子デバイスのセキュリティをより効率よく保証するために、取得されるロック解除のトリガ情報は、2つ以上の操作の各操作の期間情報を含み、電子デバイスをロック解除するための装置は、時間シーケンスに従って各操作の期間情報を構成して期間情報シーケンスを生成してよい。
【００４８】
電子デバイスの操作領域は、電子デバイスのタッチスクリーンおよび/または電子デバイスの物理的ボタンを含んでよく、ユーザが遂行する操作は、タッチスクリーンのタッチ操作および/または物理的ボタンのクリック操作であり得ることに留意されたい。
【００４９】
S202。取得されたロック解除のトリガ情報を表示するステップ。
【００５０】
具体的には、ユーザが操作するとき、電子デバイスをロック解除するための装置は、取得されたロック解除のトリガ情報を表示してよい。好ましくは、電子デバイスをロック解除するための装置は、ユーザによって遂行される少なくとも1つの操作の各操作の期間情報の入力を促すように、電子デバイスのスクリーンにおける目盛の表示を制御してよい。
【００５１】
S203。少なくとも1つの操作の各操作の期間情報に従って、取得されたロック解除のトリガ情報に対して符号化処理を遂行するステップ。
【００５２】
具体的には、電子デバイスをロック解除するための装置は、少なくとも1つの操作の各操作の期間情報に従って、取得されたロック解除のトリガ情報に対して符号化処理を遂行してよい。
【００５３】
好ましくは、電子デバイスをロック解除するための装置は、少なくとも1つの操作の各操作の期間情報に対応する期間レベルを取得して、少なくとも1つの操作の各操作における期間に対応する期間レベルに従ってロック解除のトリガ情報に対して符号化処理を遂行し、各操作の期間情報に対応する期間レベルは、各操作の期間情報を包含する期間範囲の情報である。
【００５４】
たとえば、期間レベルのレベル1は(0, 1]秒の操作期間として定義され、期間レベルのレベル2は(1, 2]秒の操作期間として定義され、期間レベルのレベル3は(2, 3]秒の操作期間として定義され、期間レベルの4レベルは(3, 4]秒の操作期間として定義される、といった具合である。ユーザが、電子デバイスのスクリーンに表示された目盛に従って操作するとき、遂行された操作の期間が0から1秒の範囲内にあれば、操作に対応する期間レベルはレベル1であり、遂行された操作の期間が1から2秒の範囲内にあれば、操作に対応する期間レベルはレベル2であり、以下同様である。電子デバイスをロック解除するための装置は、期間レベル方式で、ユーザによって毎回遂行される操作の期間に従って符号化を遂行してよく、また、前述の期間情報シーケンスに対して期間レベルシーケンスへの符号化処理を遂行してよい。
【００５５】
期間レベルを定義することにより、ユーザの操作期間が特定の誤差範囲に収まり、このことによって、操作期間に関する精度要件が軽減されることに留意されたい。それに加えて、操作期間に関する精度要件が高度でなければ、電子デバイスは、ユーザに対して操作期間を表示したり入力を促したりしなくてよい。このようにして、ロック解除操作の秘匿性がより高度になり、電子デバイスのデータのセキュリティがより優れたものになる。
【００５６】
S204。符号化処理を遂行されたロック解除のトリガ情報が事前設定のロック解除情報と一致したとき、電子デバイスの機能ロックをロック解除するステップ。
【００５７】
具体的には、電子デバイスをロック解除するための装置は、符号化処理を遂行されたロック解除のトリガ情報を事前設定のロック解除情報と照合してよく、符号化処理を遂行されたロック解除のトリガ情報が事前設定のロック解除情報と一致したとき、電子デバイスをロック解除するための装置は、電子デバイスの機能ロックをロック解除する。
【００５８】
たとえば、事前設定のロック解除情報が、第1の操作(たとえばクリック操作)が5秒間持続し、第2の操作が3秒間持続するというものであり、同じことがロック解除のトリガ情報にも当てはまる場合、事前設定のロック解除情報およびロック解除のトリガ情報は、同じ方式で符号化され、事前設定のロック解除情報と符号化されたロック解除のトリガ情報の構造も同一である。この場合、電子デバイスの機能ロックはロック解除される。
【００５９】
ユーザは、電子デバイスを使用し始めるとき、または電子デバイスを使用するプロセスにおいて、ロック解除信号をセット/リセットしてよく、事前設定のロック解除情報は、電子デバイスをロック解除するための装置に対して電子デバイスの機能ロックをロック解除するための一致情報を供給するのに用いられることに留意されたい。電子デバイスが設定状態になるとき、電子デバイスをロック解除するための装置は、事前設定のロック解除情報を生成するために、電子デバイスの操作領域においてユーザが遂行した少なくとも1つの操作の期間情報を取得してよい。好ましくは、ユーザが操作するとき、ユーザによって遂行される少なくとも1つの操作の各操作の期間情報の入力を促すために、電子デバイスのスクリーンに目盛が表示されてよい。
【００６０】
もちろん、事前設定のロック解除信号を生成する前述の方式は単なる例示であり、事前設定のロック解除信号は、製造業者またはオペレータによって電子デバイスの中に前もって構成されていてもよい。
【００６１】
本発明の実施形態において、電子デバイスが設定状態であるとき、ユーザが用いる操作方式がタッチスクリーンのタッチ操作であると、それに応じて、電子デバイスが機能ロック状態であるとき、ユーザはタッチスクリーンに対してタッチ操作の方式でロック解除操作を遂行する必要があり、操作可能領域はタッチスクリーンの任意の位置であり、すなわち、ユーザはタッチスクリーンの任意の位置でタッチ操作を遂行し、電子デバイスをロック解除するための装置はロック解除のトリガ情報を取得し得る。同様に、電子デバイスが設定状態であるとき、ユーザが用いる操作方式が物理的ボタンのクリック操作であると、それに応じて、電子デバイスが機能ロック状態であるとき、ユーザは物理的ボタンに対してクリック操作の方式でロック解除操作を遂行する必要があり、操作可能領域は物理的ボタンの任意のボタンであり、すなわち、ユーザは物理的ボタンの任意のボタンに対してクリック操作を遂行し、電子デバイスをロック解除するための装置はロック解除のトリガ情報を取得し得る。ユーザが電子デバイスの機能ロックをロック解除するとき、位置またはボタンが操作領域において限定されないので、ユーザが遂行する操作の秘匿性が、より優れて改善され得る。
【００６２】
もちろん、本発明のこの実施形態では混合操作方式も用いられ得る。すなわち、電子デバイスが設定状態であるとき、ユーザは、タッチスクリーン上のタッチ操作および物理的ボタン上のクリック操作を含んでいる混合操作を用いてよく、それに応じて、電子デバイスが機能ロック状態にあるとき、ユーザは、タッチスクリーン上のタッチ操作および物理的ボタン上のクリック操作を含んでいる混合操作を用いてロック解除操作を遂行してもよく、操作可能領域は、タッチスクリーンの任意の位置および物理的ボタンの任意のボタンであり、すなわち、ユーザはタッチスクリーンの任意の位置におけるタッチ操作および物理的ボタンの任意のボタンに対するクリック操作を遂行し、電子デバイスをロック解除するための装置はロック解除のトリガ情報を取得し得る。
【００６３】
本発明のこの実施形態では、電子デバイスが機能ロック状態であるとき、取得されたロック解除のトリガ情報の各操作の期間情報に従ってロック解除のトリガ情報に対して符号化処理が遂行されてよく、符号化処理を遂行されたロック解除のトリガ情報が事前設定のロック解除情報と一致したとき、電子デバイスの機能ロックがロック解除される。それに加えて、操作の期間情報は、秘匿される傾向があり、スライドジェスチャーまたは直接的な文字入力と比較してより感知しづらいので、本発明のこの実施形態では、操作の期間情報をロック解除条件として用いることにより、ユーザが電子デバイスの機能ロックをロック解除するときの秘匿性を改善することができ、その結果、電子デバイスのデータのセキュリティが改善され、それによってユーザエクスペリエンスが改善される。
【００６４】
図3を参照して、これは、本発明の一実施形態によって電子デバイスをロック解除するさらに別の方法の概略流れ図である。本発明のこの実施形態は、図1に示された実施形態の拡張方式である。図3に示されるように、本発明のこの実施形態による方法は、以下のステップS301からS304を含む。
【００６５】
S301。電子デバイスが機能ロック状態であるとき、電子デバイスの操作領域における少なくとも1つの操作によって生成されたロック解除のトリガ情報を取得するステップであって、ロック解除のトリガ情報が少なくとも1つの操作の各操作の期間情報を含み、ロック解除のトリガ情報が、少なくとも1つの操作の各操作によって電子デバイスの操作領域上にもたらされた圧力の情報をさらに含むステップ。
【００６６】
具体的には、電子デバイスの機能ロック状態には、電子デバイスがスクリーンロック状態であること、または電子デバイスのアプリケーションが確認されるべき状態であることなどが含まれ、電子デバイスをロック解除するための装置は、ユーザが電子デバイスの操作領域で遂行した少なくとも1つの操作によって生成されたロック解除のトリガ情報を取得し、ロック解除のトリガ情報が、少なくとも1つの操作の各操作の期間情報を含み、少なくとも1つの操作の各操作によって電子デバイスの操作領域上にもたらされた圧力の情報をさらに含む。ロック解除のトリガ情報は、操作の期間情報および圧力情報に加えて、たとえばダブルクリック、クリック、操作の強度、スライド操作のスライド長さなど、操作の他の特徴の情報をさらに含んでよい。
【００６７】
好ましくは、電子デバイスのセキュリティをより効率よく保証するために、取得されるロック解除のトリガ情報は、2つ以上の操作の各操作の期間情報および圧力情報を含み、電子デバイスをロック解除するための装置は、時間シーケンスに従って各操作の期間情報と圧力情報の組合せを構成して、トリガ情報シーケンスを生成してよい。
【００６８】
電子デバイスは圧力センサを含んでよく、圧力センサは、電子デバイスの操作領域のパネルの下に配設されてよく、ユーザが遂行した操作の圧力情報を感知するように構成されていることに留意されたい。電子デバイスの操作領域は、電子デバイスのタッチスクリーンおよび/または電子デバイスの物理的ボタンを含んでよく、ユーザが遂行する操作は、タッチスクリーンのタッチ操作および/または物理的ボタンのクリック操作であり得る。
【００６９】
S302。取得されたロック解除のトリガ情報を表示するステップ。
【００７０】
具体的には、ユーザが操作するとき、電子デバイスをロック解除するための装置は、取得されたロック解除のトリガ情報を表示してよい。好ましくは、電子デバイスをロック解除するための装置は、ユーザによって遂行される少なくとも1つの操作の各操作の期間情報および圧力情報の入力を促すように、電子デバイスのスクリーンにおける目盛の表示を制御してよい。
【００７１】
S303。少なくとも1つの操作の各操作の期間情報および圧力情報に従って、取得されたロック解除のトリガ情報に対して符号化処理を遂行するステップ。
【００７２】
具体的には、電子デバイスをロック解除するための装置は、少なくとも1つの操作の各操作の期間情報および圧力情報に従って、取得されたロック解除のトリガ情報に対して符号化処理を遂行してよい。
【００７３】
好ましくは、電子デバイスをロック解除するための装置は、少なくとも1つの操作の同一操作の期間情報および圧力情報に対応するトリガレベルを取得して、少なくとも1つの操作の同一操作の期間情報および圧力情報に対応するトリガレベルに従ってロック解除のトリガ情報に対して符号化処理を遂行し、同一操作の期間情報および圧力情報に対応するトリガレベルは、各操作の期間情報および圧力情報を包含する期間および圧力の組合せが収まる値の範囲の情報である。期間と圧力の組合せは、各操作の期間と圧力の積、各操作の期間と圧力の和などの組合せの方式で実施されてよい。
【００７４】
一例として各操作の期間と圧力の積を用いると、トリガレベルのレベル1は、期間と圧力の積が1であるものとして定義され、トリガレベルのレベル2は、期間と圧力の積が2であるものとして定義され、トリガレベルのレベル3は、期間と圧力の積が3であるものとして定義され、トリガレベルのレベル4は、期間と圧力の積が4であるものとして定義され、以下同様である。ユーザが、電子デバイスのスクリーンに表示された目盛に従って操作するとき、遂行された操作の期間が1×時間単位であって、遂行された操作の圧力の大きさが1×圧力であれば、この操作に対応するトリガレベルはレベル1であり、遂行された操作の期間が1×時間単位であって、遂行された操作の圧力の大きさが2×圧力であれば、この操作に対応するトリガレベルはレベル2であり、遂行された操作の期間が2×時間単位であって、遂行された操作の圧力の大きさが1×圧力であれば、この操作に対応するトリガレベルもレベル2である。以下同様である。電子デバイスをロック解除するための装置は、トリガレベル方式を用いて、ユーザによって毎回遂行される操作の期間および圧力に従って符号化を遂行してよく、また、前述のトリガ情報に対してトリガレベルシーケンスへの符号化処理を遂行してよい。
【００７５】
トリガレベルを定義することにより、ユーザの操作の期間および圧力の大きさが特定の誤差範囲に収まり、このことによって、操作の期間および圧力の大きさに関する精度要件が軽減されることに留意されたい。それに加えて、操作の期間および圧力の大きさに関する精度要件が高度でなければ、電子デバイスは、ユーザに対して操作の期間および圧力の大きさを表示したり入力を促したりしなくてよい。このようにして、ロック解除操作の秘匿性がより高度になり、電子デバイスのデータのセキュリティがより優れたものになる。
【００７６】
S304。符号化処理を遂行されたロック解除のトリガ情報が事前設定のロック解除情報と一致したとき、電子デバイスの機能ロックをロック解除するステップ。
【００７７】
具体的には、電子デバイスをロック解除するための装置は、符号化処理を遂行されたロック解除のトリガ情報を事前設定のロック解除情報と照合してよく、符号化処理を遂行されたロック解除のトリガ情報が事前設定のロック解除情報と一致したとき、電子デバイスをロック解除するための装置は、電子デバイスの機能ロックをロック解除する。
【００７８】
たとえば、事前設定のロック解除情報が、第1の操作(たとえばクリック操作)が2秒間持続し、第1の操作の操作圧力が2×圧力であり、第2の操作が3秒間持続し、第2の操作の操作圧力が1×圧力であるというものあって、同じことがロック解除のトリガ情報にも当てはまる場合、事前設定のロック解除情報およびロック解除のトリガ情報は、同じ方式で符号化され、事前設定のロック解除情報と符号化されたロック解除のトリガ情報の構造も同一である。この場合、電子デバイスの機能ロックはロック解除される。
【００７９】
ユーザは、電子デバイスを使用し始めるとき、または電子デバイスを使用するプロセスにおいて、ロック解除信号をセット/リセットしてよく、事前設定のロック解除情報は、電子デバイスをロック解除するための装置に対して電子デバイスの機能ロックをロック解除するための一致情報を供給するのに用いられることに留意されたい。電子デバイスが設定状態になるとき、電子デバイスをロック解除するための装置は、事前設定のロック解除情報を生成するために、電子デバイスの操作領域においてユーザが遂行した少なくとも1つの操作の期間情報および圧力情報を取得してよい。好ましくは、ユーザが操作するとき、ユーザによって遂行される少なくとも1つの操作の各操作の期間情報および圧力情報の入力を促すために、電子デバイスのスクリーンに目盛が表示されてよい。
【００８０】
もちろん、事前設定のロック解除信号を生成する前述の方式は単なる例示であり、事前設定のロック解除信号は、製造業者またはオペレータによって電子デバイスの中に前もって構成されていてもよい。
【００８１】
本発明の実施形態において、電子デバイスが設定状態であるとき、ユーザが用いる操作方式がタッチスクリーンのタッチ操作であると、それに応じて、電子デバイスが機能ロック状態であるとき、ユーザはタッチスクリーンに対してタッチ操作の方式でロック解除操作を遂行する必要があり、操作可能領域はタッチスクリーンの任意の位置であり、すなわち、ユーザはタッチスクリーンの任意の位置でタッチ操作を遂行し、電子デバイスをロック解除するための装置はロック解除のトリガ情報を取得し得る。同様に、電子デバイスが設定状態であるとき、ユーザが用いる操作方式が物理的ボタンのクリック操作であると、それに応じて、電子デバイスが機能ロック状態であるとき、ユーザは物理的ボタンに対してクリック操作の方式でロック解除操作を遂行する必要があり、操作可能領域は物理的ボタンの任意のボタンであり、すなわち、ユーザは物理的ボタンの任意のボタンに対してクリック操作を遂行し、電子デバイスをロック解除するための装置はロック解除のトリガ情報を取得し得る。ユーザが電子デバイスの機能ロックをロック解除するとき、位置またはボタンが操作領域において限定されないので、ユーザが遂行する操作の秘匿性が、より優れて改善され得る。
【００８２】
もちろん、本発明のこの実施形態では、混合操作方式も用いられ得る。すなわち、電子デバイスが設定状態であるとき、ユーザは、タッチスクリーン上のタッチ操作および物理的ボタン上のクリック操作を含んでいる混合操作を用いてよく、それに応じて、電子デバイスが機能ロック状態であるとき、ユーザは、タッチスクリーン上のタッチ操作および物理的ボタン上のクリック操作を含んでいる混合操作を用いてロック解除操作を遂行してもよく、操作可能領域は、タッチスクリーンの任意の位置および物理的ボタンの任意のボタンであり、すなわち、ユーザはタッチスクリーンの任意の位置におけるタッチ操作および物理的ボタンの任意のボタンに対するクリック操作を遂行し、電子デバイスをロック解除するための装置はロック解除のトリガ情報を取得し得る。
【００８３】
本発明のこの実施形態では、電子デバイスが機能ロック状態であるとき、取得されたロック解除のトリガ情報の各操作の期間情報および圧力情報に従ってロック解除のトリガ情報に対して符号化処理が遂行されてよく、符号化処理を遂行されたロック解除のトリガ情報が事前設定のロック解除情報と一致したとき、電子デバイスの機能ロックがロック解除される。期間と圧力の大きさを組み合わせる方式では、ユーザによって電子デバイスの機能ロックをロック解除する手段が付加されてよい。それに加えて、操作の期間情報および圧力情報は、秘匿される傾向があり、スライドジェスチャーまたは直接的な文字入力と比較してより感知しづらいので、本発明のこの実施形態では、操作の期間情報および圧力情報をロック解除条件として用いることにより、ユーザが電子デバイスの機能ロックをロック解除するときの秘匿性を改善することができ、その結果、電子デバイスのデータのセキュリティが改善され、それによってユーザエクスペリエンスが改善される。
【００８４】
本発明の一実施形態によって提供される、電子デバイスをロック解除するための装置が、図4から図6を参照しながら以下で詳細に説明される。図4から図6に示される、電子デバイスをロック解除するための装置は、図1から図3に示された本発明の実施形態による方法を遂行するように構成されていることに留意されたい。説明の便宜のために、本発明の実施形態に関係する部分のみが示されている。開示されていない特定の技術的詳細については、図1からに図3に示された本発明の実施形態が参照されてよい。
【００８５】
図4を参照して、これは、本発明の一実施形態による、電子デバイスをロック解除するための装置の概略構造図である。図4に示されるように、本発明の実施形態による、電子デバイスをロック解除するための装置1は、情報取得モジュール11およびロック解除モジュール12を含み得る。
【００８６】
情報取得モジュール11は、電子デバイスが機能ロック状態であるとき、電子デバイスの操作領域における少なくとも1つの操作によって生成されたロック解除のトリガ情報を取得するように構成されており、ロック解除のトリガ情報は、少なくとも1つの操作の各操作の期間情報を含む。
【００８７】
特定の実装形態の期間中、機能ロック状態の電子デバイスには、電子デバイスがスクリーンロック状態であること、または電子デバイスのアプリケーションが確認されるべき状態であることなどが含まれ、情報取得モジュール11は、ユーザが電子デバイスの操作領域で遂行した少なくとも1つの操作によって生成されたロック解除のトリガ情報を取得し、ロック解除のトリガ情報は、少なくとも1つの操作の各操作の期間情報を含む。ロック解除のトリガ情報は、操作の期間情報に加えて、たとえばダブルクリック、クリック、操作の強度、スライド操作のスライド長さなど、操作の他の特徴の情報をさらに含んでよい。
【００８８】
好ましくは、電子デバイスのセキュリティをより効率よく保証するために、情報取得モジュール11によって取得されるロック解除のトリガ情報は、2つ以上の操作の各操作の期間情報を含む。
【００８９】
電子デバイスの操作領域は、電子デバイスのタッチスクリーンおよび/または電子デバイスの物理的ボタンを含んでよく、ユーザが遂行する操作は、タッチスクリーンのタッチ操作および/または物理的ボタンのクリック操作であり得ることに留意されたい。
【００９０】
ロック解除モジュール12は、ロック解除のトリガ情報が事前設定のロック解除情報と一致したとき、電子デバイスの機能ロックをロック解除するように構成されている。
【００９１】
特定の実装形態の期間中、ロック解除モジュール12は、少なくとも1つの操作の各操作の期間情報を事前設定のロック解除情報と照合してよく、少なくとも1つの操作の各操作の期間情報が事前設定のロック解除情報と一致したとき、ロック解除モジュール12は、電子デバイスの機能ロックをロック解除する。
【００９２】
たとえば、事前設定のロック解除情報が、第1の操作(たとえばクリック操作)が5秒間持続し、第2の操作が3秒間持続するというものであり、同じことがロック解除のトリガ情報にも当てはまる場合、ロック解除モジュール12は、電子デバイスの機能ロックをロック解除する。
【００９３】
ユーザは、電子デバイスを使用し始めるとき、または電子デバイスを使用するプロセスにおいて、ロック解除信号をセット/リセットしてよく、事前設定のロック解除情報は、電子デバイスをロック解除するための装置に対して電子デバイスの機能ロックをロック解除するための一致情報を供給するのに用いられることに留意されたい。電子デバイスが設定状態になるとき、電子デバイスをロック解除するための装置1は、事前設定のロック解除情報を生成するために、電子デバイスの操作領域においてユーザが遂行した少なくとも1つの操作の期間情報を取得してよい。好ましくは、ユーザが操作するとき、ユーザによって遂行される少なくとも1つの操作の各操作の期間情報の入力を促すために、電子デバイスのスクリーンに目盛が表示されてよい。
【００９４】
もちろん、事前設定のロック解除信号を生成する前述の方式は単なる例示であり、事前設定のロック解除信号は、製造業者またはオペレータによって電子デバイスの中に前もって構成されていてもよい。
【００９５】
本発明の実施形態において、電子デバイスが設定状態であるとき、ユーザが用いる操作方式がタッチスクリーンのタッチ操作であると、それに応じて、電子デバイスが機能ロック状態であるとき、ユーザはタッチスクリーンに対してタッチ操作の方式でロック解除操作を遂行する必要があり、操作可能領域はタッチスクリーンの任意の位置であり、すなわち、ユーザはタッチスクリーンの任意の位置でタッチ操作を遂行し、情報取得モジュール11はロック解除のトリガ情報を取得し得る。同様に、電子デバイスが設定状態であるとき、ユーザが用いる操作方式が物理的ボタンのクリック操作であると、それに応じて、電子デバイスが機能ロック状態であるとき、ユーザは物理的ボタンに対してクリック操作の方式でロック解除操作を遂行する必要があり、操作可能領域は物理的ボタンの任意のボタンであり、すなわち、ユーザは物理的ボタンの任意のボタンに対してクリック操作を遂行し、情報取得モジュール11はロック解除のトリガ情報を取得し得る。ユーザが電子デバイスの機能ロックをロック解除するとき、位置またはボタンが操作領域において限定されないので、ユーザが遂行する操作の秘匿性が、より優れて改善され得る。
【００９６】
もちろん、本発明のこの実施形態では、混合操作方式も用いられ得る。すなわち、電子デバイスが設定状態であるとき、ユーザは、タッチスクリーン上のタッチ操作および物理的ボタン上のクリック操作を含んでいる混合操作を用いてよく、それに応じて、電子デバイスが機能ロック状態にあるとき、ユーザは、タッチスクリーン上のタッチ操作および物理的ボタン上のクリック操作を含んでいる混合操作を用いてロック解除操作を遂行してもよく、操作可能領域は、タッチスクリーンの任意の位置および物理的ボタンの任意のボタンであり、すなわち、ユーザはタッチスクリーンの任意の位置におけるタッチ操作および物理的ボタンの任意のボタンに対するクリック操作を遂行し、情報取得モジュール11はロック解除のトリガ情報を取得し得る。
【００９７】
本発明のこの実施形態では、電子デバイスが機能ロック状態であるとき、取得されたロック解除のトリガ情報の各操作の期間情報に従ってロック解除のトリガ情報が照合されてよく、ロック解除のトリガ情報が事前設定のロック解除情報と一致したとき、電子デバイスの機能ロックがロック解除される。それに加えて、操作の期間情報は、秘匿される傾向があり、スライドジェスチャーまたは直接的な文字入力と比較してより感知しづらいので、本発明のこの実施形態では、操作の期間情報をロック解除条件として用いることにより、ユーザが電子デバイスの機能ロックをロック解除するときの秘匿性を改善することができ、その結果、電子デバイスのデータのセキュリティが改善され、それによってユーザエクスペリエンスが改善される。
【００９８】
図5を参照して、これは、本発明の一実施形態による、電子デバイスをロック解除するための別の装置の概略構造図である。図5に示されるように、本発明の実施形態による、電子デバイスをロック解除するための装置1は、情報取得モジュール11、ロック解除モジュール12、表示モジュール13、および第1の符号化モジュール14を含み得る。
【００９９】
情報取得モジュール11は、電子デバイスが機能ロック状態であるとき、電子デバイスの操作領域における少なくとも1つの操作によって生成されたロック解除のトリガ情報を取得するように構成されており、ロック解除のトリガ情報は、少なくとも1つの操作の各操作の期間情報を含む。
【０１００】
特定の実装形態の期間中、機能ロック状態の電子デバイスには、電子デバイスがスクリーンロック状態であること、または電子デバイスのアプリケーションが確認されるべき状態であることなどが含まれ、情報取得モジュール11は、ユーザが電子デバイスの操作領域で遂行した少なくとも1つの操作によって生成されたロック解除のトリガ情報を取得し、ロック解除のトリガ情報は、少なくとも1つの操作の各操作の期間情報を含む。ロック解除のトリガ情報は、操作の期間情報に加えて、たとえばダブルクリック、クリック、操作の強度、スライド操作のスライド長さなど、操作の他の特徴の情報をさらに含んでよい。
【０１０１】
好ましくは、電子デバイスのセキュリティをより効率よく保証するために、情報取得モジュール11によって取得されるロック解除のトリガ情報は、2つ以上の操作の各操作の期間情報を含み、情報取得モジュール11は、時間シーケンスに従って各操作の期間情報を構成して期間情報シーケンスを生成してよい。
【０１０２】
電子デバイスの操作領域は、電子デバイスのタッチスクリーンおよび/または電子デバイスの物理的ボタンを含んでよく、ユーザが遂行する操作は、タッチスクリーンのタッチ操作および/または物理的ボタンのクリック操作であり得ることに留意されたい。
【０１０３】
表示モジュール13は、取得されたロック解除のトリガ情報を表示するように構成されている。
【０１０４】
特定の実装形態の期間中、表示モジュール13は、ユーザが操作を遂行したとき、取得されたロック解除のトリガ情報を表示してよい。好ましくは、表示モジュール13は、ユーザによって遂行される少なくとも1つの操作の各操作の期間情報の入力を促すように、電子デバイスのスクリーンにおける目盛の表示を制御してよい。
【０１０５】
第1の符号化モジュール14は、少なくとも1つの操作の各操作の期間情報に従って、取得されたロック解除のトリガ情報に対して符号化処理を遂行するように構成されている。
【０１０６】
特定の実装形態の期間中、第1の符号化モジュール14は、少なくとも1つの操作の各操作の期間情報に従って、取得されたロック解除のトリガ情報に対して符号化処理を遂行してよい。
【０１０７】
好ましくは、第1の符号化モジュール14は、少なくとも1つの操作の各操作の期間情報に対応する期間レベルを取得して、少なくとも1つの操作の各操作の期間に対応する期間レベルに従ってロック解除のトリガ情報に対して符号化処理を遂行し、各操作の期間情報に対応する期間レベルは、各操作の期間情報を包含する期間範囲の情報である。
【０１０８】
たとえば、期間レベルのレベル1は(0, 1]秒の操作期間として定義され、期間レベルのレベル2は(1, 2]秒の操作期間として定義され、期間レベルのレベル3は(2, 3]秒の操作期間として定義され、期間レベルの4レベルは(3, 4]秒の操作期間として定義される、といった具合である。ユーザが、電子デバイスのスクリーンに表示された目盛に従って操作するとき、遂行された操作の期間が0から1秒の範囲内にあれば、操作に対応する期間レベルはレベル1であり、遂行された操作の期間が1から2秒の範囲内にあれば、操作に対応する期間レベルはレベル2であり、以下同様である。第1の符号化モジュール14は、期間レベル方式で、ユーザによって毎回遂行される操作の期間に従って符号化を遂行してよく、また、前述の期間情報シーケンスに対して期間レベルシーケンスへの符号化処理を遂行してよい。
【０１０９】
期間レベルを定義することにより、ユーザの操作期間が特定の誤差範囲に収まり、このことによって、操作期間に関する精度要件が軽減されることに留意されたい。それに加えて、操作期間に関する精度要件が高度でなければ、電子デバイスは、ユーザに対して操作期間を表示したり入力を促したりしなくてよい。このようにして、ロック解除操作の秘匿性がより高度になり、電子デバイスのデータのセキュリティがより優れたものになる。
【０１１０】
ロック解除モジュール12は、ロック解除のトリガ情報が事前設定のロック解除情報と一致したとき、電子デバイスの機能ロックをロック解除するように構成されている。
【０１１１】
特定の実装形態の期間中、ロック解除モジュール12は、第1の符号化モジュール14によって符号化処理を遂行されたロック解除のトリガ情報が事前設定のロック解除情報と一致したとき、電子デバイスの機能ロックをロック解除するように特に構成されている。
【０１１２】
電子デバイスをロック解除するための装置1は、符号化処理を遂行されたロック解除のトリガ情報を事前設定のロック解除情報と照合してよく、符号化処理を遂行されたロック解除のトリガ情報が事前設定のロック解除情報と一致したとき、ロック解除モジュール12は、電子デバイスの機能ロックをロック解除する。
【０１１３】
たとえば、事前設定のロック解除情報が、第1の操作(たとえばクリック操作)が5秒間持続し、第2の操作が3秒間持続するというものであり、同じことがロック解除のトリガ情報にも当てはまる場合、事前設定のロック解除情報およびロック解除のトリガ情報は、同じ方式で符号化され、事前設定のロック解除情報と符号化されたロック解除のトリガ情報の構造も同一である。この場合、ロック解除モジュール12は、電子デバイスの機能ロックをロック解除する。
【０１１４】
ユーザは、電子デバイスを使用し始めるとき、または電子デバイスを使用するプロセスにおいて、ロック解除信号をセット/リセットしてよく、事前設定のロック解除情報は、電子デバイスをロック解除するための装置に対して電子デバイスの機能ロックをロック解除するための一致情報を供給するのに用いられることに留意されたい。電子デバイスが設定状態になるとき、電子デバイスをロック解除するための装置1は、事前設定のロック解除情報を生成するために、電子デバイスの操作領域においてユーザが遂行した少なくとも1つの操作の期間情報を取得してよい。好ましくは、ユーザが操作するとき、ユーザによって遂行される少なくとも1つの操作の各操作の期間情報の入力を促すために、電子デバイスのスクリーンに目盛が表示されてよい。
【０１１５】
もちろん、事前設定のロック解除信号を生成する前述の方式は単なる例示であり、事前設定のロック解除信号は、製造業者またはオペレータによって電子デバイスの中に前もって構成されていてもよい。
【０１１６】
本発明の実施形態において、電子デバイスが設定状態であるとき、ユーザが用いる操作方式がタッチスクリーンのタッチ操作であると、それに応じて、電子デバイスが機能ロック状態であるとき、ユーザはタッチスクリーンに対してタッチ操作の方式でロック解除操作を遂行する必要があり、操作可能領域はタッチスクリーンの任意の位置であり、すなわち、ユーザはタッチスクリーンの任意の位置でタッチ操作を遂行し、情報取得モジュール11はロック解除のトリガ情報を取得し得る。同様に、電子デバイスが設定状態であるとき、ユーザが用いる操作方式が物理的ボタンのクリック操作であると、それに応じて、電子デバイスが機能ロック状態であるとき、ユーザは物理的ボタンに対してクリック操作の方式でロック解除操作を遂行する必要があり、操作可能領域は物理的ボタンの任意のボタンであり、すなわち、ユーザは物理的ボタンの任意のボタンに対してクリック操作を遂行し、情報取得モジュール11はロック解除のトリガ情報を取得し得る。ユーザが電子デバイスの機能ロックをロック解除するとき、位置またはボタンが操作領域において限定されないので、ユーザが遂行する操作の秘匿性が、より優れて改善され得る。
【０１１７】
もちろん、本発明のこの実施形態では、混合操作方式も用いられ得る。すなわち、電子デバイスが設定状態であるとき、ユーザは、タッチスクリーン上のタッチ操作および物理的ボタン上のクリック操作を含んでいる混合操作を用いてよく、それに応じて、電子デバイスが機能ロック状態にあるとき、ユーザは、タッチスクリーン上のタッチ操作および物理的ボタン上のクリック操作を含んでいる混合操作を用いてロック解除操作を遂行してもよく、操作可能領域は、タッチスクリーンの任意の位置および物理的ボタンの任意のボタンであり、すなわち、ユーザはタッチスクリーンの任意の位置におけるタッチ操作および物理的ボタンの任意のボタンに対するクリック操作を遂行し、情報取得モジュール11はロック解除のトリガ情報を取得し得る。
【０１１８】
本発明のこの実施形態では、電子デバイスが機能ロック状態であるとき、取得されたロック解除のトリガ情報の各操作の期間情報に従ってロック解除のトリガ情報に対して符号化処理が遂行されてよく、符号化処理を遂行されたロック解除のトリガ情報が事前設定のロック解除情報と一致したとき、電子デバイスの機能ロックがロック解除される。それに加えて、操作の期間情報は、秘匿される傾向があり、スライドジェスチャーまたは直接的な文字入力と比較してより感知しづらいので、本発明のこの実施形態では、操作の期間情報をロック解除条件として用いることにより、ユーザが電子デバイスの機能ロックをロック解除するときの秘匿性を改善することができ、その結果、電子デバイスのデータのセキュリティが改善され、それによってユーザエクスペリエンスが改善される。
【０１１９】
図6を参照して、これは、本発明の一実施形態による、電子デバイスをロック解除するためのさらに別の装置の概略構造図である。図6に示されるように、本発明の実施形態による、電子デバイスをロック解除するための装置1は、情報取得モジュール11、ロック解除モジュール12、表示モジュール13、および第2の符号化モジュール15を含み得る。
【０１２０】
情報取得モジュール11は、電子デバイスが機能ロック状態であるとき、電子デバイスの操作領域における少なくとも1つの操作によって生成されたロック解除のトリガ情報を取得するように構成されており、ロック解除のトリガ情報は、少なくとも1つの操作の各操作の期間情報を含む。
【０１２１】
特定の実装形態の期間中、機能ロック状態の電子デバイスには、電子デバイスがスクリーンロック状態であること、または電子デバイスのアプリケーションが確認されるべき状態であることなどが含まれ、情報取得モジュール11は、ユーザが電子デバイスの操作領域で遂行した少なくとも1つの操作によって生成されたロック解除のトリガ情報を取得し、ロック解除のトリガ情報は、少なくとも1つの操作の各操作の期間情報を含み、少なくとも1つの操作の各操作によって電子デバイスの操作領域上にもたらされた圧力の情報をさらに含む。ロック解除のトリガ情報は、操作の期間情報および圧力情報に加えて、たとえばダブルクリック、クリック、操作の強度、スライド操作のスライド長さなど、操作の他の特徴の情報をさらに含んでよい。
【０１２２】
好ましくは、電子デバイスのセキュリティをより効率よく保証するために、情報取得モジュール11によって取得されるロック解除のトリガ情報は、2つ以上の操作の各操作の期間情報および圧力情報を含み、情報取得モジュール11は、時間シーケンスに従って各操作の期間情報と圧力情報の組合せを構成してトリガ情報シーケンスを生成してよい。
【０１２３】
電子デバイスは圧力センサを含んでよく、圧力センサは、電子デバイスの操作領域のパネルの下に配設されてよく、ユーザが遂行した操作の圧力情報を感知するように構成されていることに留意されたい。電子デバイスの操作領域は、電子デバイスのタッチスクリーンおよび/または電子デバイスの物理的ボタンを含んでよく、ユーザが遂行する操作は、タッチスクリーンのタッチ操作および/または物理的ボタンのクリック操作であり得る。
【０１２４】
表示モジュール13は、取得されたロック解除のトリガ情報を表示するように構成されている。
【０１２５】
特定の実装形態の期間中、表示モジュール13は、ユーザが操作を遂行したとき、取得されたロック解除のトリガ情報を表示してよい。好ましくは、表示モジュール13は、ユーザによって遂行される少なくとも1つの操作の各操作の期間情報および圧力情報の入力を促すように、電子デバイスのスクリーンにおける目盛の表示を制御してよい。
【０１２６】
第2の符号化モジュール15は、少なくとも1つの操作の各操作の期間情報および圧力情報に従って、取得されたロック解除のトリガ情報に対して符号化処理を遂行するように構成されている。
【０１２７】
特定の実装形態の期間中、第2の符号化モジュール15は、少なくとも1つの操作の各操作の期間情報および圧力情報に従って、取得されたロック解除のトリガ情報に対して符号化処理を遂行してよい。
【０１２８】
好ましくは、第2の符号化モジュール15は、少なくとも1つの操作の同一操作の期間情報および圧力情報に対応するトリガレベルを取得して、少なくとも1つの操作の同一操作の期間情報および圧力情報に対応するトリガレベルに従ってロック解除のトリガ情報に対して符号化処理を遂行し、同一操作の期間情報および圧力情報に対応するトリガレベルは、各操作の期間情報および圧力情報を包含する期間および圧力の組合せが収まる値の範囲の情報である。期間と圧力の組合せは、各操作の期間と圧力の積、各操作の期間と圧力の和などの組合せの方式で実施されてよい。
【０１２９】
一例として各操作の期間と圧力の積を用いると、トリガレベルのレベル1は、期間と圧力の積が1であるものとして定義され、トリガレベルのレベル2は、期間と圧力の積が2であるものとして定義され、トリガレベルのレベル3は、期間と圧力の積が3であるものとして定義され、トリガレベルのレベル4は、期間と圧力の積が4であるものとして定義され、以下同様である。ユーザが、電子デバイスのスクリーンに表示された目盛に従って操作するとき、遂行された操作の期間が1×時間単位であって、遂行された操作の圧力の大きさが1×圧力であれば、この操作に対応するトリガレベルはレベル1であり、遂行された操作の期間が1×時間単位であって、遂行された操作の圧力の大きさが2×圧力であれば、この操作に対応するトリガレベルはレベル2であり、遂行された操作の期間が2×時間単位であって、遂行された操作の圧力の大きさが1×圧力であれば、この操作に対応するトリガレベルもレベル2である。以下同様である。第2の符号化モジュール15は、トリガレベル方式を用いて、ユーザによって毎回遂行される操作の期間および圧力に従って符号化を遂行してよく、また、前述のトリガ情報シーケンス対してトリガレベルシーケンスへの符号化処理を遂行してよい。
【０１３０】
トリガレベルを定義することにより、ユーザの操作の期間および圧力の大きさが特定の誤差範囲に収まり、このことによって、操作の期間および圧力の大きさに関する精度要件が軽減されることに留意されたい。それに加えて、操作の期間および圧力の大きさに関する精度要件が高度でなければ、電子デバイスは、ユーザに対して操作の期間および圧力の大きさを表示したり入力を促したりしなくてよい。このようにして、ロック解除操作の秘匿性がより高度になり、電子デバイスのデータのセキュリティがより優れたものになる。
【０１３１】
ロック解除モジュール12は、ロック解除のトリガ情報が事前設定のロック解除情報と一致したとき、電子デバイスの機能ロックをロック解除するように構成されている。
【０１３２】
特定の実装形態の期間中、ロック解除モジュール12は、第2の符号化モジュール15によって符号化処理を遂行されたロック解除のトリガ情報が事前設定のロック解除情報と一致したとき、電子デバイスの機能ロックをロック解除するように特に構成されている。
【０１３３】
電子デバイスをロック解除するための装置1は、符号化処理を遂行されたロック解除のトリガ情報を事前設定のロック解除情報と照合してよく、符号化処理を遂行されたロック解除のトリガ情報が事前設定のロック解除情報と一致したとき、ロック解除モジュール12は、電子デバイスの機能ロックをロック解除する。
【０１３４】
たとえば、事前設定のロック解除情報が、第1の操作(たとえばクリック操作)が2秒間持続し、第1の操作の操作圧力が2×圧力であり、第2の操作が3秒間持続し、第2の操作の操作圧力が1×圧力であるというものであって、同じことがロック解除のトリガ情報にも当てはまる場合、事前設定のロック解除情報およびロック解除のトリガ情報は、同じ方式で符号化され、事前設定のロック解除情報と符号化されたロック解除のトリガ情報の構造も同一である。この場合、ロック解除モジュール12は、電子デバイスの機能ロックをロック解除する。
【０１３５】
ユーザは、電子デバイスを使用し始めるとき、または電子デバイスを使用するプロセスにおいて、ロック解除信号をセット/リセットしてよく、事前設定のロック解除情報は、電子デバイスをロック解除するための装置に対して電子デバイスの機能ロックをロック解除するための一致情報を供給するのに用いられることに留意されたい。電子デバイスが設定状態になるとき、電子デバイスをロック解除するための装置1は、事前設定のロック解除情報を生成するために、電子デバイスの操作領域においてユーザが遂行した少なくとも1つの操作の期間情報および圧力情報を取得してよい。好ましくは、ユーザが操作するとき、ユーザによって遂行される少なくとも1つの操作の各操作の期間情報および圧力情報の入力を促すために、電子デバイスのスクリーンに目盛が表示されてよい。
【０１３６】
もちろん、事前設定のロック解除信号を生成する前述の方式は単なる例示であり、事前設定のロック解除信号は、製造業者またはオペレータによって電子デバイスの中に前もって構成されていてもよい。
【０１３７】
本発明の実施形態において、電子デバイスが設定状態であるとき、ユーザが用いる操作方式がタッチスクリーンのタッチ操作であると、それに応じて、電子デバイスが機能ロック状態であるとき、ユーザはタッチスクリーンに対してタッチ操作の方式でロック解除操作を遂行する必要があり、操作可能領域はタッチスクリーンの任意の位置であり、すなわち、ユーザはタッチスクリーンの任意の位置でタッチ操作を遂行し、情報取得モジュール11はロック解除のトリガ情報を取得し得る。同様に、電子デバイスが設定状態であるとき、ユーザが用いる操作方式が物理的ボタンのクリック操作であると、それに応じて、電子デバイスが機能ロック状態であるとき、ユーザは物理的ボタンに対してクリック操作の方式でロック解除操作を遂行する必要があり、操作可能領域は物理的ボタンの任意のボタンであり、すなわち、ユーザは物理的ボタンの任意のボタンに対してクリック操作を遂行し、情報取得モジュール11はロック解除のトリガ情報を取得し得る。ユーザが電子デバイスの機能ロックをロック解除するとき、位置またはボタンが操作領域において限定されないので、ユーザが遂行する操作の秘匿性が、より優れて改善され得る。
【０１３８】
もちろん、本発明のこの実施形態では、混合操作方式も用いられ得る。すなわち、電子デバイスが設定状態であるとき、ユーザは、タッチスクリーン上のタッチ操作および物理的ボタン上のクリック操作を含んでいる混合操作を用いてよく、それに応じて、電子デバイスが機能ロック状態であるとき、ユーザは、タッチスクリーン上のタッチ操作および物理的ボタン上のクリック操作を含んでいる混合操作を用いてロック解除操作を遂行してもよく、操作可能領域は、タッチスクリーンの任意の位置および物理的ボタンの任意のボタンであり、すなわち、ユーザはタッチスクリーンの任意の位置におけるタッチ操作および物理的ボタンの任意のボタンに対するクリック操作を遂行し、情報取得モジュール11はロック解除のトリガ情報を取得し得る。
【０１３９】
本発明のこの実施形態では、電子デバイスが機能ロック状態であるとき、取得されたロック解除のトリガ情報の各操作の期間情報および圧力情報に従ってロック解除のトリガ情報に対して符号化処理が遂行されてよく、符号化処理を遂行されたロック解除のトリガ情報が事前設定のロック解除情報と一致したとき、電子デバイスの機能ロックがロック解除される。期間と圧力の大きさを組み合わせる方式では、ユーザによって電子デバイスの機能ロックをロック解除する手段が付加されてよい。それに加えて、操作の期間情報および圧力情報は、秘匿される傾向があり、スライドジェスチャーまたは直接的な文字入力と比較してより感知しづらいので、本発明のこの実施形態では、操作の期間情報および圧力情報をロック解除条件として用いることにより、ユーザが電子デバイスの機能ロックをロック解除するときの秘匿性を改善することができ、その結果、電子デバイスのデータのセキュリティが改善され、それによってユーザエクスペリエンスが改善される。
【０１４０】
図5に示された実施形態の第1の符号化モジュール14と図6に示された実施形態の第2の符号化モジュール15は、電子デバイスをロック解除するための装置1に同時に組み込まれてもよく、電子デバイスをロック解除するための装置1は、ユーザが用いるロック解除方式に従って、第1の符号化モジュール14または第2の符号化モジュール15を使用することにより、ロック解除のトリガ情報に対して符号化処理を遂行することを決定してよいことに留意されたい。
【０１４１】
本発明の実施形態によって提供される、電子デバイスをロック解除するための装置は、コンピュータシステムに基づいて実施され得て、図1から図3に示された方法は、電子デバイスをロック解除するための装置においてコンピュータシステムに基づいて実施され得る。図7は、コンピュータシステムに基づいて電子デバイスをロック解除するための装置の一実施形態を示す。この実施形態によって提供される、電子デバイスをロック解除するための装置400は、プロセッサ401、記憶装置402、および入出力装置403を含み得る。
【０１４２】
記憶装置402は、プログラムコードを記憶するように構成されている。プロセッサ401は、記憶装置402に記憶されたプログラムコードを実行するように構成されている。本発明のこの実施形態では、記憶装置402は第1のプログラムコードを記憶し、プロセッサ401は、第1のプログラムコードを実行し、次のような操作を行うように構成されている。電子デバイスが機能ロック状態であるとき、プロセッサ401は、電子デバイスの操作領域における少なくとも1つの操作によって生成されたロック解除のトリガ情報であって、少なくとも1つの操作の各操作の期間情報を含んでいるロック解除のトリガ情報を取得して、ロック解除のトリガ情報が事前設定のロック解除情報と一致したとき、電子デバイスの機能ロックをロック解除する。
【０１４３】
入出力装置403は、たとえば物理的ボタンと表示画面、またはタッチスクリーンと表示画面などの2つの独立したデバイスでよい。入出力装置403は、たとえばタッチ機能を有する表示画面などの1つのデバイスでもよい。電子デバイスをロック解除するための装置400は、入出力装置403を使用することによってロック解除のトリガ情報を受け取る(方法の実施形態を説明する図1から図3に示されている)。プロセッサは、入出力装置403によって受け取ったロック解除のトリガ情報を、記憶装置402のプログラムコードに従って処理する。
【０１４４】
特定の実装形態の期間中、本発明の実施形態の第1の実現可能な実装方式では、プロセッサ401は、少なくとも1つの操作の各操作の期間情報に従って、取得されたロック解除のトリガ情報に対して符号化処理を遂行するステップであって、符号化処理を遂行されたロック解除のトリガ情報が事前設定のロック解除情報と一致したとき、電子デバイスの機能ロックをロック解除するステップをさらに遂行する。
【０１４５】
具体的には、プロセッサ401は、少なくとも1つの操作の各操作の期間情報に対応する期間レベルを取得して、少なくとも1つの操作の各操作の期間に対応する期間レベルに従ってロック解除のトリガ情報に対して符号化処理を遂行し、各操作の期間情報に対応する期間レベルは、各操作の期間情報を包含する期間範囲の情報である。
【０１４６】
本発明の実施形態の第2の実現可能な実装方式では、ロック解除のトリガ情報は、少なくとも1つの操作の各操作によって電子デバイスの操作領域上にもたらされた圧力の情報をさらに含む。プロセッサ401は、少なくとも1つの操作の各操作の期間情報および圧力情報に従って、取得されたロック解除のトリガ情報に対して符号化処理を遂行し、符号化処理を遂行されたロック解除のトリガ情報が事前設定のロック解除情報と一致したとき、電子デバイスの機能ロックをロック解除する。
【０１４７】
具体的には、プロセッサ401は、少なくとも1つの操作の同一操作の期間情報および圧力情報に対応するトリガレベルを取得して、少なくとも1つの操作の同一操作の期間情報および圧力情報に対応するトリガレベルに従ってロック解除のトリガ情報に対して符号化処理を遂行し、同一操作の期間情報および圧力情報に対応するトリガレベルは、各操作の期間情報および圧力情報を包含する期間および圧力の組合せが収まる値の範囲の情報である。
【０１４８】
プロセッサ401は、取得されたロック解除のトリガ情報をさらに表示してよい。具体的には、プロセッサ401は、入出力装置403にロック解除のトリガ情報を表示し、たとえば、プロセッサは、表示器に対してロック解除のトリガ情報(期間情報および/または圧力情報)を表示するように命令する。
【０１４９】
プロセッサ401は、中央処理装置(central processing unit、CPU)、特定用途向け集積回路(application-specific integrated circuit、ASIC)などでよいことに留意されたい。この実施形態の管理ゲートウェイデバイスは、バス404を含み得る。プロセッサ401、記憶装置402、および入出力装置403は、互いに接続され、バス404を通じて互いに通信してよい。記憶装置402は、たとえばランダムアクセスメモリ(random access memory、RAM)、読取り専用メモリ(read-only memory、ROM)、磁気ディスクなどの記憶機能を有するエンティティを含んでよい。本発明の実施形態の事前設定のロック解除情報は、一時的にRAMに記憶されてよい。
【０１５０】
本発明のこの実施形態では、電子デバイスが機能ロック状態であるとき、取得されたロック解除のトリガ情報の各操作の期間情報に従って、または各操作の期間情報および圧力情報に従って、ロック解除のトリガ情報が照合されてよく、ロック解除のトリガ情報が事前設定のロック解除情報と一致したとき、電子デバイスの機能ロックがロック解除されることが理解され得る。それに加えて、操作の期間情報は、秘匿される傾向があり、スライドジェスチャーまたは直接的な文字入力と比較してより感知しづらいので、操作の期間情報をロック解除条件として用いることにより、ユーザが電子デバイスの機能ロックをロック解除するときの秘匿性を改善することができ、その結果、電子デバイスのデータのセキュリティが改善され、それによってユーザエクスペリエンスが改善される。
【０１５１】
前述の実装方式の説明によれば、当業者なら、ハードウェア、ファームウェア、またはこれら2つの組合せによって本発明が実施され得ることを明瞭に理解することができる。本発明がソフトウェアによって実施されるとき、その機能はコンピュータ可読媒体に記憶されてよく、またはコンピュータ可読媒体上の1つまたは複数の命令もしくはコードとして伝送されてもよい。コンピュータ可読媒体はコンピュータ記憶媒体および通信媒体を含み、通信媒体は、ある位置から別の位置へのコンピュータプログラムの移転を促進する任意の媒体を含む。記憶媒体は、コンピュータによるアクセスが可能な任意の入手可能な媒体でよい。コンピュータ可読媒体の例には、それだけではないが、RAM、ROM、または他の光ディスク記憶媒体またはディスク記憶媒体または他の磁気記憶デバイス、または予定のプログラムコードを命令の形もしくはデータ構造の形で搬送するかもしくは記憶するのに使用され得る任意の他のコンピュータアクセス可能な媒体も含まれる。さらに、任意の接続も、適切にコンピュータ可読媒体であり得る。たとえば、ソフトウェアが、同軸ケーブル、光ケーブル、撚線対、もしくはデジタル加入者線を使用することにより、または赤外線伝送、無線伝送、もしくはマイクロ波伝送などの無線技術を用いることにより、ウェブサイト、サーバまたは別の遠隔のソースから伝送される場合、その同軸ケーブル、光ケーブル、撚線対、もしくはデジタル加入者線、または赤外線伝送、無線伝送、もしくはマイクロ波伝送などの無線技術は、媒体の定義(fixation)に含まれる。本発明に使用されるディスク(disk)およびディスク(disc)は、コンパクトディスク、レーザーディスク（登録商標）、光ディスク、デジタル多用途ディスク、フロッピー（登録商標）ディスク、およびブルーレイディスクを含み、ディスク(disk)は一般にデータを磁気的にコピーし、ディスク(disc)はレーザを用いてデータを光学的にコピーする。それらの組合せも、コンピュータ可読媒体の保護範囲内に収まるものとする。
【０１５２】
前述の開示された説明は本発明の例示的の実施形態でしかなく、もちろん本発明の保護範囲を限定するように意図されたものではない。したがって、本発明の特許請求の範囲に従って製作された等価な変形形態は、本発明の範囲内にあるものとする。
【符号の説明】
【０１５３】
1  電子デバイスをロック解除するための装置
11  情報取得モジュール
12  ロック解除モジュール
13  表示モジュール
14  第1の符号化モジュール
15  第2の符号化モジュール
400  電子デバイスをロック解除するための装置
401  プロセッサ
402  記憶装置
403  入出力デバイス
404  バス
【図１】
2015533250.tif 000003
【図２】
2015533250.tif 000004
【図３】
2015533250.tif 000005
【図４】
2015533250.tif 000006
【図５】
2015533250.tif 000007
【図６】
2015533250.tif 000008
【図７】
2015533250.tif 000009
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
電子デバイスをロック解除する方法であって、
電子デバイスが機能ロック状態であるとき、前記電子デバイスの操作領域における少なくとも1つの操作によって生成されたロック解除のトリガ情報を取得するステップであって、前記ロック解除のトリガ情報が、前記少なくとも1つの操作の各操作の期間情報を含むステップと、
前記ロック解除のトリガ情報が事前設定のロック解除情報と一致したとき、前記電子デバイスの前記機能ロックをロック解除するステップと、
を含むことを特徴とする電子デバイスをロック解除する方法。
【請求項２】
前記ロック解除のトリガ情報が、前記少なくとも1つの操作の各操作によって前記電子デバイスの前記操作領域上にもたらされた圧力の情報をさらに含む請求項1に記載の方法。
【請求項３】
前記少なくとも1つの操作の各操作の前記期間情報および前記圧力情報に従って、前記取得されたロック解除のトリガ情報に対して符号化処理を遂行するステップをさらに含み、
前記ロック解除のトリガ情報が事前設定のロック解除情報と一致したとき前記電子デバイスの前記機能ロックをロック解除する前記ステップが、前記符号化処理を遂行された前記ロック解除のトリガ情報が前記事前設定のロック解除情報と一致したとき、前記電子デバイスの前記機能ロックをロック解除するステップを含む請求項2に記載の方法。
【請求項４】
前記少なくとも1つの操作の各操作の前記期間情報および前記圧力情報に従って、前記取得されたロック解除のトリガ情報に対して符号化処理を遂行する前記ステップが、
前記少なくとも1つの操作の同一操作の期間情報および圧力情報に対応するトリガレベルを取得するステップと、
前記少なくとも1つの操作の前記同一操作の前記期間情報および前記圧力情報に対応する前記トリガレベルに従って前記ロック解除のトリガ情報に対して前記符号化処理を遂行するステップであって、前記同一操作の前記期間情報および前記圧力情報に対応する前記トリガレベルが、各操作の前記期間情報および前記圧力情報を包含する期間および圧力の組合せが収まる値の範囲の情報であるステップと、
を含む請求項3に記載の方法。
【請求項５】
前記少なくとも1つの操作の各操作の前記期間情報に従って、前記取得されたロック解除のトリガ情報に対して符号化処理を遂行するステップをさらに含み、
前記ロック解除のトリガ情報が事前設定のロック解除情報と一致したとき前記電子デバイスの前記機能ロックをロック解除する前記ステップが、前記符号化処理を遂行された前記ロック解除のトリガ情報が前記事前設定のロック解除情報と一致したとき、前記電子デバイスの前記機能ロックをロック解除するステップを含む請求項1に記載の方法。
【請求項６】
前記少なくとも1つの操作の各操作の前記期間情報に従って、前記取得されたロック解除のトリガ情報に対して符号化処理を遂行する前記ステップが、
前記少なくとも1つの操作の各操作の前記期間情報に対応する期間レベルを取得するステップと、
前記少なくとも1つの操作の各操作の期間に対応する期間レベルに従って前記ロック解除のトリガ情報に対して前記符号化処理を遂行するステップであって、各操作の前記期間情報に対応する前記期間レベルが、各操作の前記期間情報を包含する期間範囲の情報であるステップと、
を含む請求項5に記載の方法。
【請求項７】
前記電子デバイスの操作領域における少なくとも1つの操作によって生成されたロック解除のトリガ情報を取得する前記ステップの後に、
前記取得されたロック解除のトリガ情報を表示するステップをさらに含む請求項1から6のいずれか一項に記載の方法。
【請求項８】
前記電子デバイスの前記操作領域が、前記電子デバイスのタッチスクリーンおよび/または前記電子デバイスの物理的ボタンを備える請求項1から7のいずれか一項に記載の方法。
【請求項９】
電子デバイスが機能ロック状態であるとき、前記電子デバイスの操作領域における少なくとも1つの操作によって生成されたロック解除のトリガ情報であって、前記少なくとも1つの操作の各操作の期間情報を含む前記ロック解除のトリガ情報を取得するように構成された情報取得モジュールと、
前記ロック解除のトリガ情報が事前設定のロック解除情報と一致したとき、前記電子デバイスの前記機能ロックをロック解除するように構成されたロック解除モジュールとを備える、電子デバイスをロック解除するための装置。
【請求項１０】
前記ロック解除のトリガ情報が、前記少なくとも1つの操作の各操作によって前記電子デバイスの前記操作領域上にもたらされた圧力の情報をさらに含む請求項9に記載の装置。
【請求項１１】
前記少なくとも1つの操作の各操作の前記期間情報および前記圧力情報に従って、前記取得されたロック解除のトリガ情報に対して符号化処理を遂行するように構成された第2の符号化モジュールをさらに備え、
前記ロック解除モジュールが、前記第2の符号化モジュールによって前記符号化処理を遂行された前記ロック解除のトリガ情報が前記事前設定のロック解除情報と一致したとき、前記電子デバイスの前記機能ロックをロック解除するように特に構成されている請求項10に記載の装置。
【請求項１２】
前記第2の符号化モジュールが、前記少なくとも1つの操作の同一の操作の期間情報および圧力情報に対応するトリガレベルを取得して、前記少なくとも1つの操作の前記同一操作の前記期間情報および前記圧力情報に対応する前記トリガレベルに従って、前記ロック解除のトリガ情報に対して前記符号化処理を遂行するように特に構成されており、前記同一操作の前記期間情報および前記圧力情報に対応する前記トリガレベルが、各操作の前記期間情報および前記圧力情報を包含する期間および圧力の組合せが収まる値の範囲の情報である請求項11に記載の装置。
【請求項１３】
前記少なくとも1つの操作の各操作の前記期間情報に従って、前記取得されたロック解除のトリガ情報に対して符号化処理を遂行するように構成された第1の符号化モジュールをさらに備え、
前記ロック解除モジュールが、前記第1の符号化モジュールによって前記符号化処理を遂行された前記ロック解除のトリガ情報が前記事前設定のロック解除情報と一致したとき、前記電子デバイスの前記機能ロックをロック解除するように特に構成されている請求項9に記載の装置。
【請求項１４】
前記第1の符号化モジュールが、前記少なくとも1つの操作の各操作の前記期間情報に対応する期間レベルを取得して、前記少なくとも1つの操作の各操作の期間に対応する期間レベルに従って前記ロック解除のトリガ情報に対して前記符号化処理を遂行するように特に構成されており、各操作の前記期間情報に対応する前記期間レベルが、各操作の前記期間情報を包含する期間範囲の情報である請求項13に記載の装置。
【請求項１５】
前記取得されたロック解除のトリガ情報を表示するように構成された表示モジュールをさらに備える請求項9から14のいずれか一項に記載の装置。
【請求項１６】
前記電子デバイスの前記操作領域が、前記電子デバイスのタッチスクリーンおよび/または前記電子デバイスの物理的ボタンを備える請求項9から15のいずれか一項に記載の装置。
【請求項１７】
プログラムが記録されているコンピュータ可読記憶媒体であって、前記プログラムによって、前記コンピュータが請求項1から8のいずれか一項に記載の方法を実行するコンピュータ可読記憶媒体。
【国際調査報告】
2015533250.tif 000010
2015533250.tif 000011
2015533250.tif 000012
2015533250.tif 000013